(57)【要約】【課題】伸縮性容器と、この伸縮性容器内に薬液を注入するための注入ポートと、伸縮性容器の一端から吐出された薬液を患者に向けて送出する送出管路とを備えた薬液注入装置において、簡単かつ安価な装置により、患者に薬液を送出している現場で速やかに精度良く薬液の残量を計量する。【解決手段】重量測定手段１を有し、この重量測定手段１を用いて薬液注入装置３０の重量を測定することにより、伸縮性容器３１内に充填された薬液の残量を計量する。【選択図】      図１
2004147862.tif 000002
【特許請求の範囲】
【請求項１】
伸縮性容器と、この伸縮性容器内に薬液を注入するための注入ポートと、伸縮性容器の一端から吐出された薬液を患者に向けて送出する送出管路とを備えた薬液注入装置の薬液計量装置であって、重量測定手段を有し、この重量測定手段を用いて薬液注入装置の重量を測定することにより、伸縮性容器内に充填された薬液の残量を計量することを特徴とする薬液注入装置の薬液計量装置。
【請求項２】
上記重量測定手段は、薬液注入装置を懸架する懸架手段を備え、この懸架手段により、薬液注入装置を懸架することにより、薬液注入装置の重量を測定することを特徴とする請求項１記載の薬液注入装置の薬液計量装置。
【請求項３】
上記懸架手段は、薬液注入装置に設けられた吊具を着脱自在に懸架することにより薬液注入装置を懸架することを特徴とする請求項２記載の薬液注入装置の薬液計量装置。
【請求項４】
上記薬液計量装置は、紐状の連結具を備え、懸架手段が薬液注入装置を離脱している離脱状態において、この連結具により薬液注入装置と連結可能に構成されていることを特徴とする請求項３記載の薬液注入装置の薬液計量装置。
【請求項５】
上記懸架手段は、袋状ケースに薬液注入装置を収納して懸架することにより薬液注入装置を懸架することを特徴とする請求項２記載の薬液注入装置の薬液計量装置。
【請求項６】
上記重量測定手段は、伸縮性容器内に薬液が充填されていない状態において、重量測定のインジケータが目盛り表示において零点を示すように零点補正されていることを特徴とする請求項１乃至請求項５のいずれかに記載の薬液注入装置の薬液計量装置。
【請求項７】
上記重量測定手段は、薬液注入装置の重量を支持する弾性部材を備え、この弾性部材の伸縮により、薬液注入装置の重量を測定する重量秤であることを特徴とする請求項１乃至請求項６のいずれかに記載の薬液注入装置の薬液計量装置。
【発明の詳細な説明】
【０００１】
【発明の属する技術分野】
本発明は、医療分野で用いられる伸縮性容器を備えた薬液注入装置に採用される薬液計量装置に関するものである。
【０００２】
【従来の技術】
従来、医療分野では、伸縮性容器と、この伸縮性容器の一端から吐出された薬液を患者に向けて送出する送出管路とを備えた薬液注入装置が種々開発されている。
【０００３】
例えば、特許文献１には、図８に示すように、長手の概ねシリンダ状の伸縮性容器４１と、この伸縮性容器４１内に薬液を注入するための注入ポート４２と、伸縮性容器の一端から吐出された薬液を患者に向けて送出する送出管路４３とを備えた薬液注入装置４０の技術が開示されている。
【０００４】
この薬液注入装置４０は、その伸縮性容器４１の内部に伸縮性容器４１の内径より大きい径を有する概ねシリンダ状の応力部材４４を備えており、この応力部材４４により、伸縮性容器４１は径方向に多少のストレスがかかった状態で応力部材４４に固定されている。
【０００５】
この薬液注入装置４０を使用する場合は、注射筒４５等により注入ポート４２を介して本装置４０へ適切な薬液を注入すると、応力部材４４に設けられた図略の逆流防止弁を介して伸縮性容器４１へ薬液が進入し、伸縮性容器４１内に貯留される。そして、伸縮性容器４１の収縮力により加圧された薬液が、今度は応力部材４４に設けられた孔４６と送出管路４３とを介して患者へと注入される。
【０００６】
このような伸縮性容器４１を備えた薬液注入装置４０の場合、送出される薬液の量は、伸縮性容器４１の形状の変化から判断せざるを得ず、薬液注入装置４０の交換などのタイミングを判断するのが困難である。そのため、特許文献１に開示された技術では、伸縮性容器４１内に充填された薬液の残量を確認するための手段として、応力部材４４上に伸縮性容器４１が空に近い状態を示すための複数個のインジケータバンプ４７が設けられている。このインジケータバンプ４７は、伸縮性容器４１が膨張時には不可視であるが、伸縮性容器４１が空に近づくにつれ応力部材４４の両端側から順番に可視状態となるようにして伸縮性容器４１内に充填された薬液の残量を判断することができるように構成されている。
【０００７】
【特許文献１】
特公平４−３６０２７
【０００８】
【発明が解決しようとする課題】
しかしながら、上述の薬液注入装置４０のインジケータバンプ４７では、伸縮性容器４１の形状の変化を示すだけであり、伸縮性容器４１内に充填された薬液の残量を定量的に確認することはできないという不具合があった。
【０００９】
一方、このような簡易な薬液注入装置に対しては、薬液の残量を定量的に確認するために複雑な計量機構を組み込むことは適当でない。また、患者に薬液を送出している現場では、速やかに伸縮性容器内に充填された薬液の残量を計量することが求められる。
【００１０】
本発明は上記不具合に鑑みてなされたものであり、簡単かつ安価な装置により、患者に薬液を送出している現場で速やかに精度良く薬液の残量を計量することができる薬液注入装置の薬液計量装置を提供することを課題としている。
【００１１】
【課題を解決するための手段】
上記課題を解決するための本発明は、伸縮性容器と、この伸縮性容器内に薬液を注入するための注入ポートと、伸縮性容器の一端から吐出された薬液を患者に向けて送出する送出管路とを備えた薬液注入装置の薬液計量装置であって、重量測定手段を有し、この重量測定手段を用いて薬液注入装置の重量を測定することにより、伸縮性容器内に充填された薬液の残量を計量することを特徴とする薬液注入装置の薬液計量装置である。
【００１２】
本発明によれば、重量測定手段を用いて薬液注入装置の重量を測定するので、確実に精度良く伸縮性容器内に充填された薬液の残量を計量することができる。
【００１３】
また、本発明の好ましい態様は、上記重量測定手段は、薬液注入装置を懸架する懸架手段を備え、この懸架手段により、薬液注入装置を懸架することにより、薬液注入装置の重量を測定することを特徴とする請求項１記載の薬液注入装置の薬液計量装置である。
【００１４】
この好ましい態様によれば、重量測定手段が、薬液注入装置を懸架する懸架手段を備え、この専用の懸架手段により、薬液注入装置を懸架して薬液注入装置の重量を測定するので、大掛かりな機構を必要とせず、必要最小限の簡単な構造で薬液注入装置の重量を測定することができる結果、製造に係るコストを抑制することができる。
【００１５】
ここで、上記懸架手段は、薬液注入装置に設けられた吊具を着脱自在に懸架することにより薬液注入装置を懸架することが好ましい。
【００１６】
この好ましい態様によれば、懸架手段が、薬液注入装置に設けられた吊具を着脱自在に懸架するので、懸架手段が薬液注入装置を離脱している離脱状態において、測定手段が薬液注入装置の取り扱いの支障になることを防止できる。また、伸縮性容器内に充填された薬液の残量を計量する必要のある時は、速やかに懸架手段により薬液注入装置を測定手段に懸架状態にすることができる。
【００１７】
そして、上記薬液計量装置は、紐状の連結具を備え、この連結具により薬液注入装置と連結可能に構成されていることが好ましい。
【００１８】
この好ましい態様によれば、紐状の連結具により薬液計量装置と薬液注入装置とが連結されているので、懸架手段が薬液注入装置を離脱している離脱状態においても、常に測定手段を薬液注入装置の近傍に待機させて使用に供することができる結果、速やかな計量操作ができる。
【００１９】
本発明の別の好ましい態様は、上記懸架手段は、袋状ケースに薬液注入装置を収納して懸架することにより薬液注入装置を懸架することを特徴とする請求項２記載の薬液注入装置の薬液計量装置である。
【００２０】
この好ましい態様によれば、袋状ケースに薬液注入装置を収納して懸架手段が薬液注入装置を懸架するので、大掛かりな機構を必要とせず、簡単な構造で薬液注入装置の重量を測定することができる結果、製造に係るコストを抑制することができる。
【００２１】
また、上記重量測定手段は、伸縮性容器内に薬液が充填されていない状態において、重量測定のインジケータが目盛り表示において零点を示すように零点補正されていることが好ましい。
【００２２】
この好ましい態様によれば、伸縮性容器内に薬液が充填されていない状態で、重量測定のインジケータが目盛り表示において零点を示すように重量測定手段の零点が補正されているので、その都度薬液注入装置の重量を勘案せずとも重量測定手段の測定インジケータから一義的に伸縮性容器内に充填された薬液量を計量することができる。
【００２３】
また、上記重量測定手段は、薬液注入装置の重量を支持する弾性部材を備え、この弾性部材の伸縮により、薬液注入装置の重量を測定する重量秤であることが好ましい。
【００２４】
この好ましい態様によれば、重量測定手段は、薬液注入装置の重量を支持する弾性部材を備え、この弾性部材の伸縮により、薬液注入装置の重量を測定する重量秤であるので、簡単な機構で確実に精度良く計量することができるだけでなく、装置を小型にしてスペースを要しないものにすることができる。
【００２５】
【発明の実施の形態】
以下、添付図面を参照しながら本発明の好ましい実施の一形態について詳述する。図１は本発明の第一の実施の形態に係る薬液計量装置１０の構成を示す側面図であり、図２は本発明の第一の実施の形態に係る薬液計量装置１０の重量測定手段１の構成を示す説明図である。図２（ａ）は、側面図をまた、図２（ｂ）は、（ａ）の断面図をそれぞれ示している。
【００２６】
図１を参照して、図示の本発明の第一の実施の形態に係る薬液計量装置１０は、伸縮性容器３１と、この伸縮性容器３１内に薬液を注入するための注入ポート３２と、伸縮性容器３１の一端から吐出された薬液を患者に向けて送出する送出管路３３とを備えた薬液注入装置３０に採用される薬液計量装置１０であって、確実に精度良く伸縮性容器３１内に充填された薬液の残量を定量的に計量することができるようにするために、重量測定手段１を有し、この重量測定手段１を用いて薬液注入装置３０の重量を測定することにより、伸縮性容器３１内に充填された薬液の残量を計量するように構成されている。
【００２７】
そして、この重量測定手段１は、薬液注入装置３０を懸架する懸架手段２を備え、この懸架手段２により、薬液注入装置３０を懸架することにより、薬液注入装置３０の重量を測定する。
【００２８】
上記懸架手段２は、第一の実施の形態においては、金属製の円環状部材で構成され、この懸架手段２が薬液注入装置３０に設けられた吊具３を着脱自在に懸架することができるように構成されている。これにより、懸架手段２は、一方で薬液注入装置３０から離脱させて重量測定手段１が薬液注入装置３０の取り扱いの支障になることを防止することができるとともに、他方で薬液の残量を計量する必要のある時は、速やかに薬液注入装置３０を重量測定手段１に懸架状態にすることができるようになっている。
【００２９】
そして、懸架手段２が薬液注入装置３０を離脱している離脱状態においても、常に測定手段を薬液注入装置３０の近傍に待機させて使用に供して速やかな計量操作ができるようにするために、この薬液計量装置１０は、紐状の連結具４を備え、この連結具４により薬液注入装置３０と連結可能に構成されている。
【００３０】
次に、図２（ａ）、（ｂ）を参照して、上記重量測定手段１は、簡単な機構で確実に精度良く計量することができるだけでなく、装置を小型にしてスペースを要しないものにすることができるようにするために、ケース５の中に、弾性部材６を備えた重量秤が採用されており、この弾性部材６は、棹部材７を介して懸架手段２に連結されることにより、薬液注入装置３０の重量を支持し得るようになっている。
【００３１】
上記弾性部材６は、本実施形態では、コイルスプリングが採用されており、このコイルスプリングが薬液注入装置３０の重量により伸張することにより、その伸び量から重量が測定される。
【００３２】
そして、伸縮性容器３１内に充填された薬液の残量は、この重量秤からなる重量測定手段１の弾性部材６の伸張量をインジケータ８と目盛り表示９とにより確認することで計量されるが、その都度薬液注入装置３０の重量を勘案せずとも重量測定手段１の目盛り表示９から一義的に伸縮性容器３１内に充填された薬液量を計量することができるようにするために、伸縮性容器３１内に薬液が充填されていない状態において、重量測定手段１のインジケータ８が目盛り表示９において零点を示すように零点補正されている。
【００３３】
次に図３を参照して、本発明の第一の実施の形態に係る薬液計量装置１０の作用について説明する。図３は、本発明の第一の実施の形態に係る薬液計量装置１０の使用状態を示す説明図である。
【００３４】
同図を参照して、本発明の第一の実施の形態に係る薬液計量装置１０においては、図示のように、重量測定手段１の懸架手段２を用いて薬液注入装置３０に設けられた吊具３を着脱自在に懸架することにより、薬液注入装置３０全体の重量を重量測定手段１の弾性部材６（図２）に働かせ、この弾性部材６の伸張により、薬液注入装置３０の重量を測定する。
【００３５】
この時、重量測定手段１は、伸縮性容器３１内に薬液が充填されていない状態において、重量測定のインジケータ８が目盛り表示９において零点を示すように事前に零点補正されているので、重量測定手段１の目盛り表示９から一義的に伸縮性容器３１内に充填された薬液の残量が確認される。
【００３６】
以上説明したように、本発明の第一の実施の形態に係る薬液計量装置１０によれば、重量測定手段１を用いて薬液注入装置３０の重量を測定するので、確実に精度良く伸縮性容器３１内に充填された薬液の残量を計量することができる。
【００３７】
また、重量測定手段１が、薬液注入装置３０を懸架する懸架手段２を備え、この専用の懸架手段２により、薬液注入装置３０を懸架して薬液注入装置３０の重量を測定するので、大掛かりな機構を必要とせず、必要最小限の簡単な構造で薬液注入装置３０の重量を測定することができる結果、製造に係るコストを抑制することができる。
【００３８】
しかも、懸架手段２が、薬液注入装置３０に設けられた吊具３を着脱自在に懸架するので、懸架手段２が薬液注入装置３０を離脱している離脱状態において、重量測定手段１が薬液注入装置３０の取り扱いの支障になることを防止できる。また、伸縮性容器３１内に充填された薬液の残量を計量する必要のある時は、速やかに懸架手段２により薬液注入装置３０を重量測定手段１に懸架状態にすることができる。
【００３９】
また、紐状の連結具４により薬液計量装置１０と薬液注入装置３０とが連結されているので、懸架手段２が薬液注入装置３０を離脱している離脱状態においても、常に測定手段を薬液注入装置３０の近傍に待機させて使用に供することができる結果、速やかな計量操作ができる。
【００４０】
さらに、伸縮性容器３１内に薬液が充填されていない状態で、重量測定のインジケータ８が目盛り表示９において零点を示すように重量測定手段１の零点が補正されているので、その都度薬液注入装置３０の重量を勘案せずとも重量測定手段１の目盛り表示から一義的に伸縮性容器３１内に充填された薬液量を計量することができる。
【００４１】
そして、重量測定手段１は、薬液注入装置３０の重量を支持する弾性部材６を備え、この弾性部材６の伸縮により、薬液注入装置３０の重量を測定する重量秤であるので、簡単な機構で確実に精度良く計量することができるだけでなく、装置を小型にしてスペースを要しないものにすることができる。
【００４２】
次に、図４を参照して、本発明の第二の実施の形態に係る薬液計量装置２０について詳述する。図４は本発明の第二の実施の形態に係る薬液計量装置２０の構成を示す側面図である。
【００４３】
以下、第二の実施の形態の説明にあたっては、第一の実施の形態と重複する部分については同一の符号を付して説明を省略し、異なる部分について詳述するものとする。
【００４４】
図４を参照して、本発明の第二の実施の形態に係る薬液計量装置２０においては、上記懸架手段２は、簡単な構造で薬液注入装置３０の重量を測定することができるようにするために、袋状ケース２ａとリング２ｂと吊り紐２ｃとを備え、この袋状ケース２ａに薬液注入装置３０を収納するとともにリング２ｂで吊り紐２ｃを懸架することにより薬液注入装置３０を懸架するように構成されている。
【００４５】
このように、本発明の第二の実施の形態に係る薬液計量装置２０によれば、袋状ケース２ａに薬液注入装置３０を収納して薬液注入装置３０を懸架するので、大掛かりな機構を必要とせず、簡単な構造で薬液注入装置３０の重量を測定することができる結果、製造に係るコストを抑制することができる。
【００４６】
さらに、図５〜７を参照して、本発明の実施の形態に係る薬液計量装置１０、２０の重量測定手段１について変形例を説明する。
【００４７】
図５は、重量測定手段１の変形例を示す断面図であり、（ａ）は、重量測定手段１の第一の変形例を示している。また、（ｂ）は、重量測定手段１の第二の変形例を示している。また、（ｃ）は、重量測定手段１の第三の変形例を示している。また、図６は、重量測定手段１の第四の変形例を示しており、（ａ）は、側面図を（ｂ）は、断面図をそれぞれ示している。さらに図７は、重量測定手段１の第五の変形例を示している。
【００４８】
図５（ａ）を参照して、重量測定手段１の第一の変形例においては、弾性部材６は、図示のように、ゴム片が採用されており、このゴム片が伸張することにより、その伸び量から被測定物の重量が測定される。
【００４９】
図５（ｂ）を参照して、重量測定手段１の第二の変形例においては、弾性部材６は、図示のように、樹脂性の蛇腹機構が採用されており、この樹脂性の蛇腹機構が伸張することにより、その伸び量から被測定物の重量が測定される。
【００５０】
図５（ｃ）を参照して、重量測定手段１の第三の変形例においては、弾性部材６は、コイルスプリングが採用されているが、図示のように、棹部材７の代わりに紐部材１１が採用され、インジケータ８としてこの紐部材の結び目その他の識別部材が採用されている。また、懸架手段２は、この紐部材１１を輪状にして構成されている。
【００５１】
図６（ａ）（ｂ）を参照して、重量測定手段１の第四の変形例においては、弾性部材６は、図示のように、棹部材７を囲繞するコイルスプリングが採用されており、このコイルスプリングが縮むことにより、その縮み量から被測定物の重量が測定される。
【００５２】
図７を参照して、重量測定手段１の第五の変形例のように、目盛り表示９を逆に伸縮性容器３１内に充填された薬液量が減少するにつれて増加するように設けることにより、患者に送液された薬液量を示すように構成することも可能である。
【００５３】
上述した実施の形態は本発明の好ましい具体例を例示したものに過ぎず、本発明は上述した実施の形態に限定されない。
【００５４】
例えば、弾性部材６は、本実施形態では、コイルスプリングが採用されており、このコイルスプリングが薬液注入装置３０の重量により伸縮することにより、その伸び量から重量が測定されるが、必ずしも図示の形状に限定されない。重量による伸縮することにより被測定物の重量を測定することが可能なものであれば、種々の設計変更が可能である。
【００５５】
懸架手段２は、第一の実施の形態においては、金属製の円環状部材で構成されているが、必ずしも図示の金属製の円環形状に限定されない。薬液注入装置３０を着脱自在に懸架することができるものであれば、種々の設計変更が可能である。
【００５６】
また、重量測定手段１も、弾性部材６、棹部材７、インジケータ８、目盛り表示９は、必ずしも図示の形状に限定されず、簡単な機構で確実に精度良く計量することができるものであれば、種々の設計変更が可能である。
【００５７】
また、本発明の第二の実施の形態に係る薬液計量装置２０においては、懸架手段２は、袋状ケース２ａとリング２ｂと吊り紐２ｃを備え、この袋状ケース２ａに薬液注入装置３０を収納するとともにリング２ｂで吊り紐２ｃを懸架することにより薬液注入装置３０を懸架するように構成されているが、リング２ｂと吊り紐２ｃは本発明を限定するものではなく、その他種々の設計変更が可能である。
【００５８】
また、必ずしも図示のように伸縮性容器３１内に薬液が充填されていない状態において、重量測定手段１のインジケータ８が目盛り表示において零点を示すように零点補正されることは必須ではなく、第五の変形例のように、逆に伸縮性容器３１内に充填された薬液量が減少するにつれて増加するように設けて患者に送液された薬液量を示すなど種々の設計変更が可能である。
【００５９】
その他、本発明の特許請求の範囲内で種々の設計変更が可能であることはいうまでもない。
【００６０】
【発明の効果】
以上説明したように、本発明によれば、簡単かつ安価な装置により、患者に薬液を送出している現場で速やかに精度良く薬液の残量を定量的に計量することができるという顕著な効果を奏する。
【図面の簡単な説明】
【図１】本発明の第一の実施の形態に係る薬液計量装置の構成を示す側面図である。
【図２】本発明の第一の実施の形態に係る薬液計量装置の重量測定手段１の構成を示す説明図であり、（ａ）は、側面図である。また、（ｂ）は、（ａ）の断面図である。
【図３】本発明の第一の実施の形態に係る薬液計量装置の使用状態を示す説明図である。
【図４】本発明の第二の実施の形態に係る薬液計量装置の構成を示す側面図である。
【図５】重量測定手段の変形例を示す断面図であり、（ａ）は、重量測定手段１の第一の変形例を示している。また、（ｂ）は、重量測定手段の第二の変形例を示している。また、（ｃ）は、重量測定手段の第三の変形例を示している。
【図６】重量測定手段の第四の変形例を示しており、（ａ）は、側面図である。また、（ｂ）は、内部を示す断面図である。
【図７】重量測定手段の第五の変形例を示している。
【図８】従来の薬液計量装置の構成の一例を示す断面図である。
【符号の説明】
１            重量測定手段
２            懸架手段
３            吊具
４            連結具
５            ケース
６            弾性部材
８            インジケータ
９            目盛り表示
１０        薬液計量装置
３０        薬液注入装置
３１        伸縮性容器
３２        注入ポート
３３        送出管路
【図１】
2004147862.tif 000003
【図２】
2004147862.tif 000004
【図３】
2004147862.tif 000005
【図４】
2004147862.tif 000006
【図５】
2004147862.tif 000007
【図６】
2004147862.tif 000008
【図７】
2004147862.tif 000009
【図８】
2004147862.tif 000010